(57)【要約】【課題】容易に電力を確保することができるロードコーンを提供することである。【解決手段】錐状のコーン本体部２と、コーン本体部２に設けられ、電力を発電供給可能な発電装置５と、を備え、発電装置５は、コーン本体部２の周方向に面する複数の羽根部５２を有し、コーン本体部２の中心軸Ｏ周りに回転可能な回転部材５０と、回転部材５０の回転により電力を発電する発電部５５と、電力を供給する供給部５９と、発電装置５により発電された電力を蓄電する蓄電装置７と、供給部５９より電力が供給されて発光する照明ユニット６と、を備えているロードコーンである。【選択図】図１
2015098701.tif 000002
【特許請求の範囲】
【請求項１】
錐状のコーン本体部と、
前記コーン本体部に設けられ、電力を発電供給可能な発電手段と、
を備え、
前記発電手段は、
前記コーン本体部の周方向に面する複数の羽根部を有し、前記コーン本体部の中心軸周りに回転可能な回転部材と、
前記回転部材の回転により前記電力を発電する発電部と、
前記電力を供給する供給部と、
を備えているロードコーン。
【請求項２】
請求項１に記載のロードコーンであって、
前記複数の羽根部は、前記コーン本体部から露出するように設けられ、
前記複数の羽根部の外側縁部は、前記コーン本体部の外殻の外表面に沿うように設けられているロードコーン。
【請求項３】
請求項１に記載のロードコーンであって、
前記コーン本体部の外殻には、通風孔が設けられ、
前記回転部材は、前記コーン本体部の内部に設けられているロードコーン。
【請求項４】
請求項１から３のいずれか１項に記載のロードコーンであって、
前記複数の羽根部は、それぞれ前記コーン本体部の径方向に沿って移動可能に設けられているロードコーン。
【請求項５】
請求項１から４のいずれか１項に記載のロードコーンであって、
前記供給部より前記電力が供給されて発光する照明ユニットを備えているロードコーン。
【請求項６】
請求項１から５のいずれか１項に記載のロードコーンであって、
前記供給部として、外部機器と電気的に接続可能な少なくとも一個のコネクタを有するロードコーン。
【請求項７】
請求項６に記載のロードコーンであって、
前記外部機器は、携帯情報端末であるロードコーン。
【請求項８】
請求項６または７に記載のロードコーンであって、
前記外部機器は、他の前記ロードコーンであるロードコーン。
【請求項９】
請求項１から８のいずれか１項に記載のロードコーンであって、
前記発電手段により発電された電力を蓄電する蓄電部を有するロードコーン。
【発明の詳細な説明】
【技術分野】
【０００１】
本発明の実施形態は、ロードコーンに関する。
【背景技術】
【０００２】
従来、例えば道路や工事現場などに置かれる保安器具として、カラーコーン（登録商標）と呼ばれる円錐状のロードコーンが知られている。例えば、複数のロードコーンの間に棒状部材やロープ等を架け渡すことにより、道路や工事現場などの領域の規制や区分けを行う。
【先行技術文献】
【特許文献】
【０００３】
【特許文献１】実用新案登録第３０７８４０５号公報
【発明の概要】
【発明が解決しようとする課題】
【０００４】
例えば夜間、ロードコーンの視認性が悪くなるため、道路や工事現場などの領域の規制を効果的に行うことができなくなる。また、夜間の視認性を確保するために照明等を設けた場合には、電力を確保する必要があるが煩雑である。とりわけ、災害時にあっては、電力を確保することが困難となる。
本発明の実施形態が解決しようとする課題は、容易に電力を確保することができるロードコーンを提供することである。
【課題を解決するための手段】
【０００５】
実施形態のロードコーンは、錐状のコーン本体部と、前記コーン本体部に設けられ、電力を発電供給可能な発電手段と、を備え、前記発電手段は、前記コーン本体部の周方向に面する複数の羽根部を有し、前記コーン本体部の中心軸周りに回転可能な回転部材と、前記回転部材の回転により前記電力を発電する発電部と、前記電力を供給する供給部と、を備えている。
【図面の簡単な説明】
【０００６】
【図１】第一実施形態におけるロードコーンの側面図である。
【図２】第一実施形態におけるロードコーンを上方から見たときの説明図である。
【図３】羽根部を広げたときのロードコーンの説明図である。
【図４】第一実施形態の変形例におけるロードコーンの斜視図である。
【図５】第二実施形態におけるロードコーンの斜視図である。
【図６】第二実施形態におけるロードコーンの頂部を取り外した時の上方から見たときの説明図である。
【図７】複数のロードコーンを接続した時の説明図である。
【図８】複数のロードコーンを接続した時の回路図を模式的に図示したものである。
【図９】他の実施形態に係るロードコーンの説明図である。
【発明を実施するための形態】
【０００７】
（第一実施形態）
以下、本発明に係る第一実施形態について図面を参照して説明する。
図１は、第一実施形態におけるロードコーンの側面図であり、図２は、第一実施形態におけるロードコーンを上方から見たときの説明図である。
図１に示すように、本実施形態のロードコーン１は、全体として円錐状に形成されており、コーン本体部２と、ベース部４と、発電装置５（請求項の「発電手段」に相当。）と、照明ユニット６と、蓄電装置７（請求項の「蓄電部」に相当。）と、電力変換器８と、を備えている。なお、図１では、コーン本体部２の一部を透過した状態で、発電装置５および照明ユニット６が見えるように図示している。また、ロードコーン１の中心軸をＯと定義する。ロードコーン１を設置面Ｆに載置した時、中心軸Ｏは、鉛直上下方向に沿うように配置される。以下の説明では、中心軸Ｏに沿う方向を軸方向といい、中心軸Ｏと直交する方向を径方向といい、中心軸Ｏ周りに周回する方向を周方向という。
【０００８】
コーン本体部２およびベース部４は、それぞれ例えば樹脂材料により形成されている。
コーン本体部２は、中空の部材であり、全体として中心軸Ｏと同軸の円錘状に形成されている。コーン本体部２の外殻２０は、上部２１と下部２２とにスペースをあけた状態で上下方向に分断されている。上部２１と下部２２との間のスペースには、後述する発電装置５の回転部材５０が配置されている。
図２に示すように、ベース部４は、軸方向から見て矩形状に形成された中空の板状部材であり、コーン本体部２を支持している。ベース部４の外形は、軸方向から見てコーン本体部２の外形よりも大きくなっている。
【０００９】
図１に示すように、発電装置５は、回転部材５０と、発電部５５と、供給部５９と、を備えており、電力を発電供給可能とされる。
回転部材５０は、中心軸Ｏに沿って設けられた軸部材５１と、軸部材５１周りに設けられた複数の羽根部５２と、を備えている。
【００１０】
軸部材５１は、例えば金属材料等により筒状に形成されており、一端部がベース部４に対して回転可能に軸支されている。
羽根部５２は、例えば樹脂材料や金属材料等により形成された部材であり、コーン本体部２の周方向に面するように複数設けられている。
羽根部５２は、コーン本体部２の上部２１と下部２２との間のスペースから露出するように設けられている。また、羽根部５２の径方向における外側縁部５２ａは、コーン本体部２の外殻２０の外表面に沿うように設けられている。これにより、ロードコーン１は、全体として円錐状となっている。
そして、回転部材５０は、例えばロードコーン１が屋外に配置されて羽根部５２が風を受けることにより、中心軸Ｏ周りに回転する。
【００１１】
このように、複数の羽根部５２は、コーン本体部２から露出するように設けられているので、複数の羽根部５２により風を効果的に受けることができる。また、複数の羽根部５２の外側縁部５２ａは、コーン本体部２の外殻２０の外表面に沿うように設けられているので、ロードコーン１の外形状を損なうことなく発電装置５を設けることができる。
【００１２】
図３は、羽根部を広げたときのロードコーンの説明図である。
図３に示すように、複数の羽根部５２は、それぞれコーン本体部２の径方向に沿って移動可能に設けられている。具体的には、複数の羽根部５２は、それぞれ羽根部５２の下端部を中心として回動可能となっているとともに、羽根部５２の上端部がコーン本体部２の径方向の外側に向かって移動可能となっている。これにより、羽根部５２の外側縁部５２ａは、コーン本体部２の外殻２０の外表面よりも外側に配置されるので、羽根部５２の外側縁部５２ａがコーン本体部２の外殻２０の外表面に沿うように配置されている場合と比較して、羽根部５２の面積をより広く確保できる。したがって、回転部材５０は、風速が低い場合であっても、羽根部５２が風を受けることにより、中心軸Ｏ周りに回転することができる。
【００１３】
図１に示すように、発電部５５は、回転子５６と、固定子５７と、を有している。
回転子５６は、軸部材５１の下端部に設けられている。回転子５６の表面には、周方向に並んでＮ極とＳ極とからなるマグネットが交互に配置されている。回転子５６は、回転部材５０の回転にともなって、中心軸Ｏ周りに回転する。
固定子５７は、例えば電磁鋼板等の磁性材料により形成されたコアと、コアに銅線等を巻回することにより形成されたコイルと、を備えている。回転部材５０の回転によって回転子５６が回転し、固定子５７のコイルを通過する磁束の密度が変化することにより、銅線に交流電流が流れて電力を発電するようになっている。
【００１４】
供給部５９は、例えば電力を送電可能な電線等であって、後述の電力変換器８を介して発電部５５と後述の照明ユニット６とを電気的に接続している。供給部５９は、電力変換器８を介して出力される発電部５５により発電された電力を、後述の照明ユニット６に供給している。
【００１５】
照明ユニット６は、発光部６１と、反射部６２と、断続部６３と、を備えている。
発光部６１は、例えばＬＥＤ（Ｌｉｇｈｔ  Ｅｍｉｔｔｉｎｇ  Ｄｉｏｄｅ：発光ダイオード）等の発光素子や、電球等であって、電力変換器８および供給部５９を介して供給される発電部５５からの電力によって発光する。発光部６１は、主に軸方向に沿うように上方に向かって光を照射している。
【００１６】
反射部６２は、発光部６１から照射される光の進行方向の下流側、すなわち発光部６１の上方に設けられている。反射部６２は、例えば下方（すなわち発光部６１側）に頂部を有する円錘状に形成されており、中心軸Ｏと同軸に配置されている。反射部６２の外周面は、下方から上方に向かって漸次径方向の外側に湾曲するように形成されるとともに、入射した光を径方向の外側に反射可能な鏡面となっている。なお、図１および図３においては、発光部６１から照射される光の進路を二点鎖線にて図示している。
【００１７】
発光部６１と反射部６２との間には、断続部６３が中心軸Ｏ周りに回転可能に設けられている。断続部６３は、発光部６１から照射される光の進路を妨げる複数の遮蔽板６３ａが、中心軸Ｏ周りに所定ピッチで径方向に沿うように、かつ中心軸Ｏに対して直交するように設けられている。発光部６１と反射部６２との間の断続部６３が回転することにより、遮蔽板６３ａによって発光部６１から照射される光の進路を断続的に妨げることができるので、反射部６２から外部に向かって光を点滅させて照射することができる。なお、断続部６３の回転時の動力源は、例えば不図示のモータであってもよいし、風力であってもよい。
【００１８】
蓄電装置７は、発電部５５により発電された電力を蓄電可能な、例えば電気二重層コンデンサや電解コンデンサ等からなるキャパシタ、バッテリ等である。
電力変換器８は、発電部５５により発電された交流電力を直流電力に変換可能な、例えばＦＥＴ（Ｆｉｅｌｄ  ｅｆｆｅｃｔ  ｔｒａｎｓｉｓｔｏｒ）や、ＩＧＢＴ（Ｉｎｓｕｌａｔｅｄ  Ｇａｔｅ  Ｂｉｐｏｌａｒ  ｍｏｄｅ  Ｔｒａｎｓｉｓｔｏｒ）等のスイッチング素子を備えたインバータ等である。
発電装置５の発電部５５により発電された交流電力は、電力変換器８によって直流電力に変換されるとともに、一部の電力が蓄電装置７に蓄電されることなく照明ユニット６により消費され、一部の電力が蓄電装置７に蓄電されたあと照明ユニット６により消費される。これにより、照明ユニット６の発光部６１は、長時間にわたって発光することができる。
【００１９】
（第一実施形態の変形例）
図４は、第一実施形態の変形例におけるロードコーンの斜視図である。
続いて、本発明に係る第一実施形態の変形例について図面を参照して説明する。
第一実施形態では、回転部材５０がコーン本体部２の上部２１と下部２２との間のスペースから露出するように設けられているとともに、羽根部５２の外側縁部５２ａがコーン本体部２の外殻２０の外表面に沿うように設けられていた（図１参照）。
これに対して、図４に示すように、第一実施形態の変形例では、回転部材５０がコーン本体部２の内部に設けられている点で、第一実施形態とは異なっている。なお、第一実施形態と同様の構成については、詳細な説明を省略する。
【００２０】
図４に示すように、回転部材５０は、コーン本体部２の内部おいて、中心軸Ｏ周りに回転可能に設けられている。
羽根部５２は、外側縁部５２ａが上下方向に沿うように、中心軸Ｏと平行になるように設けられている。また、羽根部５２は、外側縁部５２ａが軸方向からみてＬ字状となるように屈曲形成されている。
照明ユニット６は、発光部６１を有している。発光部６１は、例えばＬＥＤ等の発光素子や電球等が球状の光拡散ケース内に収容されて形成されている。
【００２１】
ここで、コーン本体部２の外殻２０には、複数（本実施形態の変形例では例えば６箇所）の通風孔２３が設けられている。通風孔２３は、例えば上下方向に長軸方向を有するとともに、周方向に短軸方向を有する長円形状となっている。通風孔２３は、周方向に並んで設けられている。
回転部材５０は、通風孔２３からコーン本体部２の内部に入り込んだ風の風力により回転する。これにより、第一実施形態の変形例に係るロードコーン１は、第一実施形態と同様に、羽根部５２が風を受けることにより中心軸Ｏ周りに回転し、発電装置５が電力を発電できる。
このように、コーン本体部２の内部に回転部材５０を設けることにより、ロードコーン１の外観を損なうことなく発電装置５を設けることができる。
【００２２】
（第二実施形態）
図５は、第二実施形態におけるロードコーンの斜視図であり、図６は、第二実施形態におけるロードコーンの頂部を取り外した時の上方から見たときの説明図である。
第一実施形態では、供給部５９として、電力変換器８を介して発電部５５と照明ユニット６とを電気的に接続する電線が設けられていた。
これに対して、第二実施形態では、図５に示すように、複数の供給部５９（５９Ａ〜５９Ｄ）を備えている点で、第一実施形態とは異なっている。なお、第一実施形態と同様の構成については、詳細な説明を省略する。
【００２３】
第二実施形態のロードコーン１におけるコーン本体部２の頂部２ａは、コーン本体部２の外殻２０の上部２１に対して着脱可能に形成されている。図６に示すように、コーン本体部２の外殻２０の上部２１から頂部２ａを取り外したとき、コーン本体部２の外殻２０の上部２１には、コーン本体部２の外殻２０の内外を連通する開口２０ａが設けられている。
【００２４】
図５に示すように、第二実施形態のロードコーン１は、第一の供給部５９Ａとして、電力変換器８を介して発電部５５と照明ユニット６の発光部６１とを電気的に接続する電線が設けられている。第一の供給部５９Ａは、所定の長さを有している。図６に示すように、照明ユニット６の発光部６１は、コーン本体部２の開口２０ａを通じて、ロードコーン１の外部に引き出し可能とされる。これにより、ロードコーン１のコーン本体部２から離れた位置において、照明ユニット６の発光部６１を発光させることができるので、照明ユニット６の発光部６１を例えば照明具として機能させることができる。
【００２５】
また、図５に示すように、第二実施形態のロードコーン１は、第二の供給部５９Ｂとして、先端にオス型コネクタ６０ａを有する電線が設けられ、第三の供給部５９Ｃとして、先端にメス型コネクタ６０ｂを有する電線が設けられている。オス型コネクタ６０ａとメス型コネクタ６０ｂとは、互いに嵌合可能とされる。
【００２６】
図７は、複数のロードコーン（第一のロードコーン１Ａ、第二のロードコーン１Ｂおよび第三のロードコーン１Ｃ、請求項の「外部機器」に相当。）を接続した時の説明図であり、図８は、複数のロードコーンを接続した時の回路図を模式的に図示したものである。
図７に示すように、第一のロードコーン１Ａ、第二のロードコーン１Ｂおよび第三のロードコーン１Ｃは、互いに電気的に接続可能とされる。具体的には、第一のロードコーン１Ａのメス型コネクタ６０ｂと第二のロードコーン１Ｂのオス型コネクタ６０ａとを嵌合して互いに電気的に接続する。また、第二のロードコーン１Ｂのメス型コネクタ６０ｂと第三のロードコーン１Ｃのオス型コネクタ６０ａとを嵌合して互いに電気的に接続する。これにより、図８に示すように、第一のロードコーン１Ａ、第二のロードコーン１Ｂおよび第三のロードコーン１Ｃは、電気的に直列接続される。したがって、例えば、蓄電装置７に蓄電された電力が小さい場合や、風力が弱く発電装置５により発電される電力が小さい場合であっても、複数のロードコーン１を直列接続して、大電力を得ることができる。なお、複数のロードコーン１の接続方法は、直列接続に限定されることはなく、例えば並列接続であってもよい。
【００２７】
また、図５に示すように、第二実施形態のロードコーン１は、第四の供給部５９Ｄとして、先端に例えば携帯電話機等の携帯情報端末６５（請求項の「外部機器」に相当。）と接続可能な充電コネクタ６０ｃを有する電線が設けられている。これにより、例えば災害時等においても、発電装置５が発電した電力を携帯情報端末６５に供給することができる。なお、充電コネクタ６０ｃに接続される機器としては、携帯電話機等の携帯情報端末６５に限定されることはない。したがって、例えばテレビ等の電化製品であってもよい。
【００２８】
以上に説明した少なくとも一の実施形態によれば、ロードコーン１は、コーン本体部２の周方向に面する複数の羽根部５２を有しコーン本体部２の中心軸Ｏ周りに回転可能な回転部材５０と、電力を発電する発電部５５と、電力を供給する供給部５９と、を有する発電装置５を備えているので、風力により回転部材５０を回転させ、電力を発電して供給できる。したがって、例えばロードコーン１を屋外に配置して、風力によって回転部材５０を回転させることにより、外部電源を設けることなく容易に電力を確保することができる。とりわけ、災害時等においても、発電装置５が風力によって発電することにより、電力を確保することができる。
【００２９】
また、複数の羽根部５２は、それぞれコーン本体部２の径方向に沿って移動可能に設けられているので、風速に対応して羽根部５２の面積を所望に変更することができる。したがって、回転部材５０は、風速が低い場合であっても、羽根部５２が風を受けることにより、中心軸Ｏ周りに回転することができるので、効率よく発電できる。
【００３０】
また、コーン本体部２は、供給部５９より電力が供給されて発光する照明ユニット６を備えているので、夜間に外部電源を設けることなく、発電装置５が風力によって発電した電力を用いで発光することができる。したがって、夜間であっても、外部電源を設けることなく、道路や工事現場などの領域の規制を効果的に行うことができる。
【００３１】
また、発電装置５により発電された電力を蓄電する蓄電装置７を有しているので、照明ユニット６の発光部６１は、長時間にわたって発光することができる。
【００３２】
以上、本発明のいくつかの実施形態を説明したが、これらの実施形態は一例として提示したものであり、発明の範囲を限定することは意図していない。これら新規な実施形態は、その他様々な形態で実施されることが可能であり、発明の要旨を逸脱しない範囲で、種々の省略、置き換え、変更を行うことができる。これら実施形態やその変形は、発明の範囲や要旨に含まれるとともに特許請求の範囲に記載された発明とその均等の範囲に含まれる。
【００３３】
図９は、他の実施形態に係るロードコーンの説明図である。
上述の各実施形態では、コーン本体部２の上下方向における中間部に、発電装置５が設けられていた（例えば、図１参照）。これに対して、発電装置５が設けられる場所は、上述の実施形態に限定されない。
例えば、図９に示すように、コーン本体部２の頂部２ａに発電装置５および照明ユニット６を設けるとともに、コーン本体部２の頂部２ａが着脱可能に形成されてもよい。
【００３４】
発電装置５の羽根部５２の形状や発電部５５の形状、照明ユニット６における発光部６１の形状等は、上述の各実施形態に限定されない。
【００３５】
その他、本発明の趣旨を逸脱しない範囲で、上記した実施の形態における構成要素を周知の構成要素に置き換えることは適宜可能である。
【符号の説明】
【００３６】
１，１Ａ，１Ｂ，１Ｃ・・・ロードコーン  １Ａ，１Ｂ，１Ｃ・・・ロードコーン（外部機器）  ２・・・コーン本体部  ５・・・発電装置（発電手段）  ６・・・照明ユニット  ７・・・蓄電部（蓄電装置）  ２０・・・外殻  ２３・・・通風孔  ５０・・・回転部材  ５２・・・羽根部  ５２ａ・・・外側縁部  ５５・・・発電部  ５９，５９Ａ，５９Ｂ，５９Ｃ，５９Ｄ・・・供給部  ６５・・・携帯情報端末（外部機器）
【図１】
2015098701.tif 000003
【図２】
2015098701.tif 000004
【図３】
2015098701.tif 000005
【図４】
2015098701.tif 000006
【図５】
2015098701.tif 000007
【図６】
2015098701.tif 000008
【図７】
2015098701.tif 000009
【図８】
2015098701.tif 000010
【図９】
2015098701.tif 000011